(57)【要約】【課題】施設の名称に関連付けられたジャンルと、当該施設の名称から連想されるジャンルとが異なるとき、出力信号を出力する装置及びその方法を提供する。【解決手段】施設の名称及び該施設の名称に関連付けられた施設ジャンルを備えた施設データを保存する施設データ保存部と、キーワードと該キーワードから連想される連想ジャンルとを関連付けて保存する連想ジャンル保存部とを備え、該施設の名称の入力を受け付け、該連想ジャンル保存部を参照し、該入力された施設の名称が該キーワードを含むか否かを判定し、該入力された施設の名称が該キーワードを含むとき、該施設データ保存部及び該連想ジャンル保存部を参照し、該入力された施設の名称に関する施設ジャンルと、該キーワードに関する連想ジャンルとを比較し、該入力された施設の名称に関する施設ジャンルと該キーワードに関する連想ジャンルとが一致しないとき、出力信号を出力する。【選択図】図１
2013235405.tif 000002
【特許請求の範囲】
【請求項１】
施設の名称及び該施設の名称に関連付けられた施設ジャンルを備えた施設データを保存する施設データ保存部と、
キーワードと該キーワードから連想される連想ジャンルとを関連付けて保存する連想ジャンル保存部と、
前記施設の名称の入力を受け付ける第１の入力部と、
前記連想ジャンル保存部を参照して、前記入力された施設の名称が前記キーワードを含むか否かを判定する判定部と、
前記判定の結果、前記入力された施設の名称が前記キーワードを含むとき、前記施設データ保存部及び前記連想ジャンル保存部を参照して、該入力された施設の名称に関連付けられた施設ジャンルと、前記キーワードに関連付けられた連想ジャンルとを比較する比較部と、
前記比較の結果、前記入力された施設の名称に関連付けられた施設ジャンルと前記キーワードに関連付けられた連想ジャンルとが一致しないとき、出力信号を出力する信号出力部と、
を備える出力装置。
【請求項２】
前記出力信号に基づき所定の案内を行う案内部、を備える請求項１に記載の出力装置。
【請求項３】
前記所定の案内は前記一致しない旨の案内である、請求項２に記載の出力装置。
【請求項４】
前記案内の結果、前記一致しない旨についてＯＫ又はキャンセルの入力を受け付ける第２の入力部と、
前記入力されたＯＫの回数が所定回数以上であるとき、前記一致しない旨の前記出力信号の出力及び／又は前記案内を解除する解除部と、
を備える請求項３に記載の出力装置。
【請求項５】
施設データ保存部が、施設の名称及び該施設の名称に関連付けられた施設ジャンルを備えた施設データを保存する施設データ保存ステップと、
連想ジャンル保存部が、キーワードと該キーワードから連想される連想ジャンルとを関連付けて保存する連想ジャンル保存ステップと、
第１の入力部が、前記施設の名称の入力を受け付ける第１の入力ステップと、
判定部が、前記連想ジャンル保存部を参照して、前記入力された施設の名称が前記キーワードを含むか否かを判定する判定ステップと、
比較部が、前記判定の結果、前記入力された施設の名称が前記キーワードを含むとき、前記施設データ保存部及び前記連想ジャンル保存部を参照して、該入力された施設の名称に関連付けられた施設ジャンルと、前記キーワードに関連付けられた連想ジャンルとを比較する比較ステップと、
信号出力部が、前記比較の結果、前記入力された施設の名称に関連付けられた施設ジャンルと前記キーワードに関連付けられた連想ジャンルとが一致しないとき、出力信号を出力する信号出力ステップと、
を備える出力方法。
【請求項６】
案内部が、前記出力信号に基づき所定の案内を行う案内ステップ、を備える請求項５に記載の出力方法。
【請求項７】
前記所定の案内は前記一致しない旨の案内である、請求項６に記載の出力方法。
【請求項８】
第２の入力部が、前記案内の結果、前記一致しない旨についてＯＫ又はキャンセルの入力を受け付ける第２の入力ステップと、
解除部が、前記入力されたＯＫの回数が所定回数以上であるとき、前記一致しない旨の前記出力信号の出力及び／又は前記案内を解除する解除ステップと、
を備える請求項７に記載の出力方法。
【請求項９】
施設の名称に関連付けられたジャンルと該施設の名称から連想されるジャンルとが異なるとき、出力信号を出力するためのコンピュータプログラムであって、コンピュータを、
施設の名称及び該施設の名称に関連付けられた施設ジャンルを備えた施設データを施設データ保存部へ保存する施設データ保存手段と、
キーワードと該キーワードから連想される連想ジャンルとを関連付けて連想ジャンル保存部へ保存する連想ジャンル保存手段と、
前記施設の名称の入力を受け付ける第１の入力手段と、
前記連想ジャンル保存部を参照して、前記入力された施設の名称が前記キーワードを含むか否かを判定する判定手段と、
前記判定の結果、前記入力された施設の名称が前記キーワードを含むとき、前記施設データ保存部及び前記連想ジャンル保存部を参照して、該入力された施設の名称に関連付けられた施設ジャンルと、前記キーワードに関連付けられた連想ジャンルとを比較する比較手段と、
前記比較の結果、前記入力された施設の名称に関連付けられた施設ジャンルと前記キーワードに関連付けられた連想ジャンルとが一致しないとき、出力信号を出力する信号出力手段、
として機能させるコンピュータプログラム。
【請求項１０】
前記コンピュータを、更に、
前記出力信号に基づき所定の案内を行う案内手段、として機能させる請求項９に記載のコンピュータプログラム。
【請求項１１】
前記所定の案内は前記一致しない旨の案内である、請求項１０に記載のコンピュータプログラム。
【請求項１２】
前記コンピュータを、更に、
前記案内の結果、前記一致しない旨についてＯＫ又はキャンセルの入力を受け付ける第２の入力手段と、
前記入力されたＯＫの回数が所定回数以上であるとき、前記一致しない旨の前記出力信号の出力及び／又は前記案内を解除する解除手段、
として機能させる請求項１１に記載のコンピュータプログラム。
【請求項１３】
請求項９〜１２のいずれかに記載のコンピュータプログラムを記録する記録媒体。
【発明の詳細な説明】
【技術分野】
【０００１】
本発明は、施設の名称に関連付けられたジャンルと、当該施設の名称から連想されるジャンルとが異なるとき、出力信号を出力する装置及びその方法に関する。
【背景技術】
【０００２】
近年、スマートフォン等の移動体端末装置の普及に伴い、当該移動体端末装置を利用した施設等の検索も広く行われている。
当該施設の検索に用いられるデータベースとして、施設の名称と施設のジャンルとを関連付けたデータベースが挙げられる。ここで、施設のジャンルとしては、施設としての飲食店の場合、料理種別を分類したイタリア料理店、フランス料理店、スペイン料理店等が、施設としての販売店の場合、販売対象となる物品種別を分類した本屋、食料品店、雑貨店等が、施設としての病院の場合、診療対象を分類した眼科、歯科、心療科等が挙げられる。
しかし、施設の名称から連想するジャンルが、実際の施設ジャンルと相違することがある。このような場合、当該施設の名称から連想するジャンルを期待して当該施設に到着したユーザは、その相違に深い失望感を感じることがある。
【先行技術文献】
【特許文献】
【０００３】
【特許文献１】特開２００７−０９４９３７号公報
【発明の概要】
【発明が解決しようとする課題】
【０００４】
本発明者らは、上記背景技術に鑑みて鋭意検討を重ねてきた。その結果、施設の名称が特定のキーワードを有する場合において、当該キーワードに関連付けられた連想ジャンルと、当該施設の施設ジャンルとが一致しないとき、出力信号を出力することにより、ユーザのジャンルに関する誤認を未然に防止することができることに想到した。
【課題を解決するための手段】
【０００５】
この発明は上述の課題に鑑みてなされたものであり、その第１の局面は次のように規定される。即ち、
施設の名称及び該施設の名称に関連付けられた施設ジャンルを備えた施設データを保存する施設データ保存部と、
キーワードと該キーワードから連想される連想ジャンルとを関連付けて保存する連想ジャンル保存部と、
前記施設の名称の入力を受け付ける入力部と、
前記連想ジャンル保存部を参照して、前記入力された施設の名称が前記キーワードを含むか否かを判定する判定部と、
前記判定の結果、前記入力された施設の名称が前記キーワードを含むとき、前記施設データ保存部及び前記連想ジャンル保存部を参照して、該入力された施設の名称に関連付けられた施設ジャンルと、前記キーワードに関連付けられた連想ジャンルとを比較する比較部と、
前記比較の結果、前記入力された施設の名称に関連付けられた施設ジャンルと前記キーワードに関連付けられた連想ジャンルとが一致しないとき、出力信号を出力する信号出力部と、
を備える出力装置。
【０００６】
このように規定される第１の局面の出力装置によれば、入力された施設の名称が、連想ジャンル保存部に保存されたキーワードを有する場合において、当該キーワードに関連付けられた連想ジャンルと、入力された施設ジャンルとが一致しないとき、出力信号を出力する。当該出力装置によれば、施設の名称から連想されるジャンルと、実際のジャンルとが異なる旨の情報をユーザに案内する等適宜活用することができる。
即ち、第１の局面に規定の出力装置において、前記出力信号に基づき所定の案内を行う案内部、を備えていても良い（第２の局面）。上記異なる旨の情報をユーザに提供することにより、ユーザのジャンルに関する誤認を未然に防止することができる。
ここで、上記所定の案内は前記一致しない旨の案内とすることとできる（第３の局面）。
【０００７】
この発明の第４の局面は次のように規定される。即ち、
第３の局面に規定の出力装置において、前記案内の結果、前記一致しない旨についてＯＫ又はキャンセルの入力を受け付ける第２の入力部と、
前記入力されたＯＫの回数が所定回数以上であるとき、前記一致しない旨の前記出力信号の出力及び／又は前記案内を解除する解除部と、を備える。
このように規定される第４の局面の出力装置によれば、ユーザの応答に基づき、ユーザが当該施設の名称に対する実際のジャンル（施設ジャンル）を誤認していないと推定されるとき、当該案内を解除する。ユーザがジャンルに関して誤認していないと推定される場合には、その案内を解除した方がユーザの利便性が向上する。
【０００８】
また、この発明の第５の局面は次のように規定される。即ち、
施設データ保存部が、施設の名称及び該施設の名称に関連付けられた施設ジャンルを備えた施設データを保存する施設データ保存ステップと、
連想ジャンル保存部が、キーワードと該キーワードから連想される連想ジャンルとを関連付けて保存する連想ジャンル保存ステップと、
第１の入力部が、前記施設の名称の入力を受け付ける第１の入力ステップと、
判定部が、前記連想ジャンル保存部を参照して、前記入力された施設の名称が前記キーワードを含むか否かを判定する判定ステップと、
比較部が、前記判定の結果、前記入力された施設の名称が前記キーワードを含むとき、前記施設データ保存部及び前記連想ジャンル保存部を参照して、該入力された施設の名称に関連付けられた施設ジャンルと、前記キーワードに関連付けられた連想ジャンルとを比較する比較ステップと、
信号出力部が、前記比較の結果、前記入力された施設の名称に関連付けられた施設ジャンルと前記キーワードに関連付けられた連想ジャンルとが一致しないとき、出力信号を出力する信号出力ステップと、
を備える出力方法。
このように規定される第５の局面の発明によれば、第１の局面と同等の効果を奏する。
【０００９】
この発明の第６の局面は次のように規定される。即ち、
第５の局面に規定の方法において、案内部が、前記出力信号に基づき所定の案内を行う案内ステップ、を備える。
このように規定される第６の局面の発明によれば、第２の局面と同等の効果を奏する。
【００１０】
この発明の第７の局面は次のように規定される。即ち、
第６の局面に規定の方法において、前記所定の案内は前記一致しない旨の案内である。
このように規定される第７の局面の発明によれば、第３の局面と同等の効果を奏する。
【００１１】
この発明の第８の局面は次のように規定される。即ち、
第７の局面に規定の方法において、第２の入力部が、前記案内の結果、前記一致しない旨についてＯＫ又はキャンセルの入力を受け付ける第２の入力ステップと、
解除部が、前記入力されたＯＫの回数が所定回数以上であるとき、前記一致しない旨の前記出力信号の出力及び／又は前記案内を解除する解除ステップと、を備える。
このように規定される第８の局面の発明によれば、第４の局面と同等の効果を奏する。
【００１２】
更に、この発明の第９の局面は次のように規定される。即ち、
施設の名称に関連付けられたジャンルと該施設の名称から連想されるジャンルとが異なるとき、出力信号を出力するためのコンピュータプログラムであって、コンピュータを、
施設の名称及び該施設の名称に関連付けられた施設ジャンルを備えた施設データを施設データ保存部へ保存する施設データ保存手段と、
キーワードと該キーワードから連想される連想ジャンルとを関連付けて連想ジャンル保存部へ保存する連想ジャンル保存手段と、
前記施設の名称の入力を受け付ける第１の入力手段と、
前記連想ジャンル保存部を参照して、前記入力された施設の名称が前記キーワードを含むか否かを判定する判定手段と、
前記判定の結果、前記入力された施設の名称が前記キーワードを含むとき、前記施設データ保存部及び前記連想ジャンル保存部を参照して、該入力された施設の名称に関連付けられた施設ジャンルと、前記キーワードに関連付けられた連想ジャンルとを比較する比較手段と、
前記比較の結果、前記入力された施設の名称に関連付けられた施設ジャンルと前記キーワードに関連付けられた連想ジャンルとが一致しないとき、出力信号を出力する信号出力手段、
として機能させるコンピュータプログラム。
このように規定される第９の局面の発明によれば、第１の局面と同等の効果を奏する。
【００１３】
この発明の第１０の局面は次のように規定される。即ち、
第９の局面に規定のコンピュータプログラムにおいて、前記コンピュータを、更に、
前記出力信号に基づき所定の案内を行う案内手段、として機能させる。
このように規定される第１０の局面の発明によれば、第２の局面と同等の効果を奏する。
【００１４】
この発明の第１１の局面は次のように規定される。即ち、
第１０の局面に規定のコンピュータプログラムにおいて、前記所定の案内は前記一致しない旨の案内である。
このように規定される第１１の局面の発明によれば、第３の局面と同等の効果を奏する。
【００１５】
この発明の第１２の局面は次のように規定される。即ち、
第１１の局面に規定のコンピュータプログラムにおいて、前記コンピュータを、更に、
前記案内の結果、前記一致しない旨についてＯＫ又はキャンセルの入力を受け付ける第２の入力手段と、
前記入力されたＯＫの回数が所定回数以上であるとき、前記一致しない旨の前記出力信号の出力及び／又は前記案内を解除する解除手段、として機能させる。
このように規定される第１２の局面の発明によれば、第４の局面と同等の効果を奏する。
【００１６】
第９〜第１２のいずれかの局面に規定されるコンピュータプログラムを記録する記録媒体が第１３の局面として規定される。
【図面の簡単な説明】
【００１７】
【図１】本発明の実施の形態の出力装置１の構成を示すブロック図である。
【図２】（Ａ）は連想ジャンル保存部３に保存される連想ジャンルテーブルの一例であり、（Ｂ）は施設データ保存部５に保存される施設データテーブルの一例である。
【図３】本発明の他の実施の形態の出力装置２１の構成を示すブロック図である。
【図４】本発明の他の実施の形態の出力装置２１の動作を示すフローチャートである。
【図５】本発明の実施例の出力システム３１の構成を示すブロック図である。
【発明を実施するための形態】
【００１８】
この発明の実施の形態の出力装置を説明する。
図１に、出力装置１の概略構成を示す。適宜、図２を用いて説明する。
図１に示すように、この出力装置１は、連想ジャンル保存部３、施設データ保存部５、入力部７、判定部９、比較部１１及び信号出力部１３を備えている。
連想ジャンル保存部３には連想ジャンルがキーワードと関連付けて保存されている。連想ジャンルとは、あるキーワードから連想されるジャンルであって、例えば店舗業態が挙げられる。また、他の連想ジャンルの例として、概念や物自体等を挙げることができる。連想ジャンルとして具体的には、キーワード「ローマ」に対して連想ジャンル「イタリア料理店」等、キーワード「アイ」に対して連想ジャンル「眼鏡店」、「眼科」等、キーワード「ショコラ」に対して連想ジャンル「チョコレート店」、「洋菓子店」等とすることとできる。上記連想ジャンルには、キーワードから直接的に連想されるジャンルの他、上述のキーワード「ローマ」に対する連想ジャンル「イタリア料理店」のように、キーワード「ローマ」から直接連想される「イタリア」を介して連想されるジャンルも含まれる。一のキーワードに対して関連付けられる連想ジャンルは一であっても良く、また、二以上の連想ジャンルが関連付けられていても良い。また、一の連想ジャンルが二以上のキーワードに関連付けられていても良い。この連想ジャンル保存部３は、例えば、図２（Ａ）に示す連想ジャンルテーブルを備えることとできる。
【００１９】
施設データ保存部５には施設データが保存される。施設データとは、施設に関する情報であって、当該施設の名称と当該施設の名称に関連付けられた施設ジャンルとを含むデータである。施設としては、特に限定されず、例えば、レストラン、カフェ等の飲食店や、雑貨店、公共施設、宿泊施設、病院等が挙げられる。また、施設ジャンルとしては、例えば、施設「レストラン」に対して施設ジャンル「イタリア料理店」、「フランス料理店」等が、施設「病院」に対して施設ジャンル「眼科」、「心療内科」等が挙げられる。当該施設データは各施設毎に当該データを有している。当該施設データは、他にも、施設の位置や電話番号等の情報を有していても良い。この施設データ保存部５は、例えば、図２（Ｂ）に示す施設データテーブルを備えることとできる。
【００２０】
入力部７は、例えばユーザの指令の入力に用いられる。当該入力部７は第１の入力部１５を備える。
第１の入力部１５は施設の名称の入力を受け付ける。例えば、施設の名称「コニーローマ」の入力を受け付ける。他の入力例として、ディスプレイに表示された地図上の施設あるいはリストアップされた施設をタップすることにより、当該タップされた施設に関連付けられた施設の名称が入力されることとしても良い。第１の入力部１５として、マウス、ライトペン又はディスプレイの表示内容と協働するタッチパネル等のポインティングデバイスやキーボード又はマイクロホン等の音声入力装置を用いることができる。
【００２１】
判定部９は、連想ジャンル保存部３を参照して、上記第１の入力部１５で入力された施設の名称が、連想ジャンル保存部３に保存されているキーワードを含むか否かを判定する。当該判定の方法は、特に限定されず、例えば、施設の名称自体がキーワードと同一であるか、また、施設の名称の一部がキーワードと同一であるかによって上記判定を行うこととできる。例えば、判定部９は、上記施設の名称「コニーローマ」に対してキーワード「ローマ」を含むものと判定する。当該判定部９は、一の施設の名称に対して、一のキーワードが含まれるか否かに限らず、二以上のキーワードについて含まれるか否かの判定を行うこととできる。
【００２２】
比較部１１は、上記判定部９の判定の結果、上記第１の入力部１５で入力された施設の名称が上記キーワードを含むとき、上記連想ジャンル保存部３及び施設データ保存部５を参照して、当該入力された施設の名称に関連付けられた施設ジャンルと、当該キーワードに関連付けられた連想ジャンルとを比較する。
信号出力部１３は、上記比較部１１の比較の結果、上記入力された施設の名称に関連付けられた施設ジャンルと上記キーワードに関連付けられた連想ジャンルとが一致しないとき、出力信号を出力する。
この出力装置１において、当該装置１に含まれる全ての構成を移動体端末装置が備えることとできる。他の例として、入力部７のみを移動体端末装置が備え、他の構成はサーバ装置が備えるものとし、当該移動体端末装置とサーバ装置とはネットワークを介して無線接続されることとしても良い。
【００２３】
図３に、他の実施形態の出力装置２１を示す。図３において、図１と同一の要素には同一の符号を付して、その説明を部分的に省略する。
図３に示すのは、比較部１１での比較の結果をユーザに案内可能な出力装置２１である。すなわち、当該装置２１は、図１に示す装置１において、案内部２３を更に備えている。
案内部２３は、上記信号出力部１３から出力された出力信号に基づき所定の案内を行う。当該案内の内容は、特に限定されないが、上記施設ジャンルと連想ジャンルとが一致しない旨を注意喚起できる内容であれば良い。このような案内の内容としては、上記施設が当該施設の名称に関連付けられた施設ジャンルである旨の案内をすることとしても良いし、上記施設が上記キーワードに関連付けられた連想ジャンルでない旨の案内をすることとしても良い。
他にも、この装置２１は、ユーザが上記一致しない旨を認識している場合において、ユーザの入力に基づき案内を中止するための案内中止部を備えていても良い。
【００２４】
図４を用いて、図３に示す出力装置２１の動作の一例を説明する。この例において、出力装置２１が有する全ての構成を移動体端末装置が備えているものとする。適宜、図２を用いて説明する。
まず、ステップ１では、第１の入力部１５は、施設の名称の入力を受け付ける。例えば、施設の名称「コニーローマ」の入力を受け付ける。
ステップ３では、判定部９は、連想ジャンル保存部３内の連想ジャンルテーブルを参照し、ステップ１で入力された施設の名称「コニーローマ」に、連想ジャンルテーブル内のキーワードが含まれるか否か判定する。当該判定の結果、施設の名称に当該キーワードが含まれているとき（ステップ５：Ｙｅｓ）、ステップ７へ進む。この例において、施設の名称「コニーローマ」に、連想ジャンルテーブル内のキーワード「ローマ」が含まれていると判定される。
【００２５】
ステップ７では、比較部１１は、連想ジャンル保存部３及び施設データ保存部５を参照し、ステップ１で入力された施設の名称「コニーローマ」に関連付けられた施設データテーブル内の施設ジャンル「アメリカ料理店」と、ステップ３で判定されたキーワード「ローマ」に関連付けられた連想ジャンルテーブル内の連想ジャンル「イタリア料理店」とを比較する。当該比較の方法は、特に限定されず、キーワードに関連付けられた連想ジャンルの全てとの比較を行っても良いし、施設の名称に関連付けられた施設ジャンルとカテゴリーの共通する連想ジャンルとの比較を行うこととしても良い。前者の例においては、例えば、施設ジャンル「アメリカ料理店」と連想ジャンル「イタリア料理店」との比較を行う。一方、後者の例においては、例えば、施設ジャンル「アメリカ料理店」の比較の対象として、当該「アメリカ料理店」とカテゴリーの共通する連想ジャンル「イタリア料理店」とすることとできる。当該比較の結果、施設ジャンルが比較の対象となった連想ジャンルと一致しないとき（ステップ９：Ｙｅｓ）、ステップ１１へ進む。この例において、施設ジャンル「アメリカ料理店」は、比較の対象となった連想ジャンル「イタリア料理店」と一致しないため、ステップ１１へ進むこととなる。
【００２６】
ステップ１１では、信号出力部１３は出力信号を出力する。
ステップ１３では、ステップ１１の出力信号に基づき、上記施設に関し、当該施設ジャンルと連想ジャンルとが一致しない旨の案内を行う。このような案内の内容として、例えば、上記施設に関し、当該施設の名称に対応する上記キーワードに関連付けられた連想ジャンルでないことを確認すべく、「『コニーローマ』は『イタリア料理店ではありません。』」という内容の案内を行うこととできる。他の例として、上記施設に関し、当該施設の名称に関連付けられた施設ジャンルが上記施設ジャンルであることを確認すべく、「『コニーローマ』は『アメリカ料理店です。』」という内容の案内を行うこととできる。
【００２７】
上記処理に関し、ステップ１で入力された施設の名称に基づいて、当該施設の名称に関連付けられた施設データを施設データ保存部５から抽出した後、上記ステップ３〜１３を行うこととしても良い。
また、この例においては、上記出力信号に基づき一致しない旨の案内を行うこととしたが、他の例として、施設データ保存部５に保存されるすべての施設データについて上記処理（ステップ１〜１１）を行い、当該出力信号が出力された施設データにフラグを設定することとしても良い。当該フラグを設定すれば、当該フラグが設定された施設の名称が入力された場合において、上記判定及び比較等の処理を行うことなく、上記一致しない旨の案内を行うことが可能となる。
【００２８】
上記は施設の名称「コニーローマ」について説明してきたが、他の例として、施設の名称「ショコラエッフェル」の場合について以下説明する。
施設の名称「ショコラエッフェル」の入力を受け付けると（ステップ１）、当該「ショコラエッフェル」中に連想ジャンルテーブル内のキーワード「ショコラ」及び「エッフェル」が含まれていると判定する（ステップ３）。次いで、施設の名称「ショコラエッフェル」に関連付けられた施設ジャンル「雑貨店」と、キーワード「ショコラ」についての連想ジャンル「チョコレート店、洋菓子店」、及び、キーワード「エッフェル」についての連想ジャンル「フランス料理店」とを夫々比較する（ステップ７）。上記連想ジャンル中に施設ジャンル「雑貨店」が含まれていないため、出力信号が出力される（ステップ９、１１）。当該出力信号に基づき、例えば、「『ショコラエッフェル』は『雑貨店です。』」という内容の案内を行う（ステップ１３）。
上記のように、施設の名称が二以上のキーワードを含む場合において、上記の例のように施設ジャンルがキーワードに関連付けられた連想ジャンルと一致しないとき出力信号を出力することとしても良いし、他の例として、施設ジャンルがキーワードに関連付けられた連想ジャンルの一部と一致する場合でも他の一部と一致しないときには出力信号を出力することとしても良い。
【００２９】
図５は、この発明の実施例の出力システム３１のブロック図である。図５において、図１及び図３と同一の要素には同一の符号を付して、その説明を部分的に省略する。
図５に示すのは、施設の名称に関連付けられた施設ジャンルと施設の名称に含まれるキーワードに関連付けられた連想ジャンルとが一致しない場合において、当該一致しないことをユーザが認識していると推定されるときは、当該一致しない旨の案内を解除可能な出力システム３１である。すなわち、このシステム３１は、移動体端末装置３３及びサーバ装置３５を備えており、当該移動体端末装置３３とサーバ装置３５とはネットワークＮを介して無線接続されている。
【００３０】
移動体端末装置３３は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置等が挙げられる。特に、スマートフォンが好適である。
移動体端末装置３３は、制御部３３１、メモリ部３３２、入力部３３３、出力部３３４、インターフェイス部３３５及び通信部３３６を備える。
端末側制御部３３１はＣＰＵ、バッファメモリその他の装置を備えたコンピュータ装置であり、移動体端末装置３３を構成する他の要素を制御する。
端末側メモリ部３３２にはコンピュータプログラムが保存され、このコンピュータプログラムはコンピュータ装置である制御部３３１に読み込まれて、これを機能させる。このコンピュータプログラムは、移動体端末装置の記憶装置としての内蔵ハードディスク又は内蔵メモリ、移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
【００３１】
入力部３３３は、例えば、ユーザの指令の入力に用いられる。また、入力部３３３は、第１の入力部１５及び第２の入力部３３８を備えている。
第２の入力部３３８は、上記案内部３３に基づく案内が後述する出力部３３４を介して出力されたとき、当該案内の内容に対してＯＫあるいはキャンセルの応答の入力を受け付ける。例えば、「『コニーローマ』は『イタリア料理店ではありません。』」という内容の案内表示が、ＯＫボタン及びキャンセルボタンとともに表示された場合において、当該ＯＫあるいはキャンセルの入力を受け付ける。すなわち、「ＯＫ」の応答は、「コニーローマ」が「イタリア料理店」でないことをユーザが認識していることを表し、「キャンセル」の応答は、「コニーローマ」が「イタリア料理店」であると誤認していること等を表すものと推定される。第２の入力部３３８として、マウス、ライトペン又はディスプレイの表示内容と協働するタッチパネル等のポインティングデバイスやキーボード又はマイクロホン等の音声入力装置を用いることができる。
【００３２】
出力部３３４は、ディスプレイを含み、入力画面や上記施設の名称等施設データ、前述の一致しない旨の案内表示等、その他の情報を表示する。この出力部３３４は、音声発信部を含むこともできる。
端末側インターフェイス部３３５は移動体端末装置３３を無線ネットワーク等へ連結させる。
端末側通信部３３６は、各種情報をサーバ装置３５へ送信する送信部と、各種情報をサーバ装置３５から受信する受信部とを備える。当該端末側通信部３３６が送信する情報としては、例えば、上記入力部３３３で入力された施設の名称に関する情報や上記案内に対する応答に関する情報等が挙げられる。また、当該端末側通信部３３６が受信する情報としては、例えば、上記施設に関する情報や、上記一致しない旨の案内に関する情報等が挙げられる。
【００３３】
サーバ装置３５は、移動体端末装置３３から送信された、上記施設の名称に関する情報や上記案内に対する応答に関する情報等の情報を受信し、当該情報に基づきユーザに案内するのに適した情報を特定し、移動体端末装置３３に送信する。
サーバ装置３５は、制御部３５１、メモリ部３５２、インターフェース部３５３、通信部３５４、連想ジャンル保存部３、施設データ保存部５、判定部９、比較部１１、信号出力部１３、案内部２３及び解除部３５５を備える。
サーバ側制御部３５１はＣＰＵ、バッファメモリその他の装置を備えたコンピュータ装置であり、サーバ装置３５を構成する他の要素を制御する。
【００３４】
サーバ側メモリ３５２にはコンピュータプログラムが保存され、このコンピュータプログラムはコンピュータ装置であるサーバ側制御部３５１に読み込まれて、これを機能させる。このコンピュータプログラムはＤＶＤ等の汎用的な媒体へ保存できる。
サーバ側インターフェイス部３５３はサーバ装置３５を無線ネットワーク等へ連結させる。
サーバ側通信部３５４は、各種情報を移動体端末装置３３へ送信する送信部と、各種情報を移動体端末装置３３から受信する受信部とを備える。当該サーバ側通信部３５４が送信する情報としては、例えば、上記施設に関する情報や、上記一致しない旨の案内に関する情報等が挙げられる。また、当該サーバ側通信部３５４が受信する情報としては、例えば、上記入力部３３３で入力された施設の名称に関する情報や上記案内に対する応答に関する情報等が挙げられる。
【００３５】
解除部３５５は、上記第２の入力部３３８で入力されたＯＫの回数が所定回数以上であるとき、上記一致しない旨の案内を解除する。上記一致しない旨の案内に対してユーザがＯＫの応答を所定回数以上行っていれば、ユーザは当該一致していない旨を認識していると推定できる。このような場合にまで、当該一致していない旨の案内を行うのは、ユーザーにとって煩わしさに耐えないため、当該案内を解除することが好ましい。同等の効果を備える他の例として、当該解除部３５５は、上記信号出力部１３における出力信号の出力を解除することとしても良い。この解除部３５５は、移動体端末装置Ｍ１〜ＭｎがＯＫを選択した回数を合計した回数に基づき解除することとしても良く、移動体端末装置Ｍ１がＯＫを選択した回数に基づき案内を解除することとしても良い。後者の場合、ユーザ識別情報に対応したＯＫの回数を管理しておくことが好ましい。
【００３６】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００３７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３８】
１  ２１  出力装置
３  連想ジャンル保存部
５  施設データ保存部
７  ３３３  入力部
９  判定部
１１  比較部
１３  信号出力部
２３  案内部
３１  出力システム
３５５  解除部
【図１】
2013235405.tif 000003
【図２】
2013235405.tif 000004
【図３】
2013235405.tif 000005
【図４】
2013235405.tif 000006
【図５】
2013235405.tif 000007